(57)【特許請求の範囲】
【請求項１】
本体の床板の上方に熱交換器と、送風機とを備えた室外ユニットにおいて、
前記床板の幅略全域に亘って前記熱交換器を備え、該熱交換器は室外ユニットの両側面及び背面を構成する断面略Ｕ字状に設けられ、
前記床板はドレンパンで構成されるとともに、上方に突出して前記熱交換器の下方に位置する段部を備え、
この段部の下側に前記本体の下方隅部を該本体の側方に開放させて前方から後方にかけて連通する配管通し空間を形成し、
前記段部の前端に切り欠き部を備えるとともに、該切り欠き部に対応して断面略Ｕ字状の前記熱交換器の端部が前後に短く形成され、
前記熱交換器にサービスバルブを介して接続される冷媒配管が、前記端部に重なって当該端部の前方を前記切り欠へ延び、該切り欠き部を通って前記床板の下側に延出し、前記配管通し空間を通って前記床板の後方に延出し、
外装パネルを取り外したときに、前記サービスバルブから前記切り欠き部及び前記配管通し空間までが露出することを特徴とする室外ユニット。
【請求項２】
前記熱交換器は、前記本体の外部に露出していることを特徴とする請求項１に記載の室外ユニット。
【請求項３】
前記本体には圧縮機が内蔵され、この圧縮機は、前記本体の下部中央に配置されていることを特徴とする請求項１または２に記載の室外ユニット。
【発明の詳細な説明】
【技術分野】
【０００１】
本発明は、室外ユニットに関する。
【背景技術】
【０００２】
従来、空気調和装置等の熱交換器と送風機とを床板の上方に備えた室外ユニットにおいて、熱交換器を床板の上部に備え、この熱交換器が冷媒配管を介して室内ユニットに連結されるものが知られている（例えば、特許文献１）。このような室外ユニットでは、熱交換器を床板の上部幅一杯に延在させて、熱交換器の大型化を図りつつ、本体のコンパクト化を図ることが望まれていた。
【特許文献１】特開平９−２２９４２６号公報
【発明の開示】
【発明が解決しようとする課題】
【０００３】
しかし、熱交換器を床板の上部幅一杯に延在させた場合には、熱交換器から延びる冷媒配管を、いわゆる後引きすることが困難になるという問題があった。
そこで、本発明の目的は、上述した従来の技術が有する課題を解消し、熱交換器を床板の上部幅一杯に延在させた場合であっても、熱交換器から延びる冷媒配管を、いわゆる後引きすることが可能な室外ユニットを提供することにある。
【課題を解決するための手段】
【０００４】
本発明は、本体の床板の上方に熱交換器と、送風機とを備えた室外ユニットにおいて、
前記床板の幅略全域に亘って前記熱交換器を備え、該熱交換器は室外ユニットの両側面及び背面を構成する断面略Ｕ字状に設けられ、前記床板はドレンパンで構成されるとともに、上方に突出して前記熱交換器の下方に位置する段部を備え、この段部の下側に前記本体の下方隅部を該本体の側方に開放させて前方から後方にかけて連通する配管通し空間を形成し、前記段部の前端に切り欠き部を備えるとともに、該切り欠き部に対応して断面略Ｕ字状の前記熱交換器の端部が前後に短く形成され、前記熱交換器にサービスバルブを介して接続される冷媒配管が、前記端部に重なって当該端部の前方を前記切り欠へ延び、該切り欠き部を通って前記床板の下側に延出し、前記配管通し空間を通って前記床板の後方に延出し、外装パネルを取り外したときに、前記サービスバルブから前記切り欠き部及び前記配管通し空間までが露出することを特徴とする。
【０００５】
この場合において、前記熱交換器は、前記本体の外部に露出していてもよい。前記本体には圧縮機が内蔵され、この圧縮機は、前記本体の下部中央に配置されていてもよい。
【発明の効果】
【０００６】
本発明では、床板の下側に前方から後方にかけて連通する配管通し空間を形成したため、熱交換器を床板の上部幅一杯に延在させた場合であっても、熱交換器から延びる冷媒配管を、いわゆる後引きすることができる。
【発明を実施するための最良の形態】
【０００７】
以下、本発明の実施形態について図面を参照して説明する。
図１は、本発明の一実施形態の空気調和装置１０を示す冷媒回路図である。図１に示すように、空気調和装置１０は室外ユニット１１及び室内ユニット１２を有しており、室外ユニット１１の室外冷媒配管１４と室内ユニット１２の室内冷媒配管１５とが、連結配管（冷媒配管）２４及び２５を介して連結されている。ここで、連結配管２４は、サービスバルブ２７で、そして、連結配管２５は、サービスバルブ２８でそれぞれ室外ユニット１１に連結されている。
【０００８】
室外ユニット１１は室外に配置される。室外冷媒配管１４には、圧縮機１６が配設されるとともに、この圧縮機１６の吸込側にアキュムレータ１７が配設され、圧縮機１６の吐出側に四方弁１８が配設され、この四方弁１８側に室外熱交換器１９が配設されて構成される。圧縮機１６は、当該圧縮機１６の密閉容器に内蔵された圧縮機モータ１６Ａによって駆動される。室外熱交換器１９には、室外熱交換器１９から室外へ送風する室外ファン２０が隣接して配置されている。この室外ファン２０は、室外ファンモータ２０Ａによって駆動される。これらモータ１６Ａ、２０Ａは、ブラシレスＤＣモータである。
【０００９】
一方、室内ユニット１２は室内に設置され、室内冷媒配管１５に室内熱交換器２１が配設されると共に、室内冷媒配管１５において室内熱交換器２１近傍に電動膨張弁２２が配設されて構成される。室内熱交換器２１には、この室内熱交換器２１へ送風する室内ファン２３が隣接して配置されている。この室内ファン２３は、室内ファンモータ２３Ａによって駆動される。
【００１０】
空気調和装置１０は、室外ユニット１１に設置される室外制御装置４１と、室内ユニット１２に設置される室内制御装置４２とを備えている。室外制御装置４１は圧縮機１６の速度（回転数）を制御し、室外ファン２０の回転数を制御する電力変換装置５０を備える。また、室内制御装置４２は、電動膨張弁２２の開度を制御し、室内ファン２３の回転数を制御する。室内ユニット１２側の不図示のリモートコントローラでは、冷房運転又は暖房運転のいずれかの運転モードに設定可能である。
【００１１】
これら室外制御装置４１と室内制御装置４２とは、通信線で連結されている。室外制御装置４１は、室内制御装置４２にこの通信線を介して室内ファンモータ２３Ａの回転数の指示を送信する。また、室内制御装置４２は、室内の空調負荷の情報や、設定された運転モードの情報、室内ファンモータ２３Ａの回転数を示す情報等の制御情報を、室外制御装置４１に送信する。室外制御装置４１の電力変換装置５０は、受信した制御情報に基づいて圧縮機モータ１６Ａの回転数及び室外ファンモータ２０Ａの回転数等を制御する。
【００１２】
冷房運転を行う運転モードに設定された場合、四方弁１８が冷房側に切り替えられ、冷媒が実線矢印の如く流れる。そして、圧縮機１６の運転により圧縮機１６から吐出された冷媒は、四方弁１８を経て室外熱交換器１９に至り、この室外熱交換器１９で凝縮され、室内ユニット１２の電動膨張弁２２を経て減圧された後、室内熱交換器２１で蒸発されて室内を冷房する。室内熱交換器２１からの冷媒は、室外ユニット１１側に流され、この室外ユニット１１の四方弁１８及びアキュムレータ１７を経て圧縮機１６に戻される。
【００１３】
また、暖房運転を行う運転モードに設定された場合、四方弁１８が暖房側に切り替えられ、冷媒が破線矢印の如く流れる。そして、圧縮機１６の運転により圧縮機１６から吐出された冷媒は、四方弁１８を経て室内ユニット１２の室内熱交換器２１に至り、この室内熱交換器２１にて凝縮されて室内を暖房する。室内熱交換器２１にて凝縮された冷媒は、電動膨張弁２２で減圧され、室外ユニット１１の室外熱交換器１９で蒸発された後、四方弁１８及びアキュムレータ１７を経て圧縮機１６に戻される。
【００１４】
図２に、室外ユニット１１の斜視図を示す。
室外ユニット１１の本体１１ａは、上面に天板３４を備え、底面に床板としての鋼板製のドレンパン６０を備えている。
室外ユニット１１は上段と下段とに分かれており、上段にはファンパネル３１が設けられ、このファンパネル３１の中央には、室外ファン２０用のファンガード２６を備えている。また、室外ユニット１１の下段には、フロントパネル３０が設けられ、このフロントパネル３０は、メンテナンス時等に取り外し可能な外装パネルであり、その下部は、ドレンパン６０の前部を覆うように配置されている。
【００１５】
ドレンパン６０は、室外ユニット１１の底板であり、図３に示すように、その上部には圧縮機１６、室外熱交換器１９、サービスバルブ２７、２８及びファンモータステイ３５等を備えている。このファンモータステイ３５は、上段のファンガード２６の内側に配置された室外ファン２０を支持している。
一方、室外ユニット１１の背面と、左側面と、右側面の後半部分とは、室外熱交換器１９で構成されている。この室外熱交換器１９は、図４に示すように、断面略Ｕ字状に形成されており、天板３４（図３）からドレンパン６０にかけて、ドレンパン６０上方の後端部の幅略全域と、左端部と、右端部の後半部分とに亘って延在している。
【００１６】
ドレンパン６０は、図５に示すように、前後に延在する左右二つの脚部３２を備えている。ドレンパン６０の後端部及び左右両端部には、段部６５が形成されている。この段部６５は、ドレンパン６０の底部６３から高さ方向に略垂直に立ち上がる壁部６６と、この壁部６６の上端から水平に外側に延びる水平部６８とを備え、水平部６８の外縁には上方に延びたリブ６４が一体に形成されている。
上記段部６５の上方には、図４に示すように、リブ６４の内側に位置するように室外熱交換器１９が配置されており、この室外熱交換器１９から滴下したドレンは、リブ６４の内側の水平部６８に溜まり、壁部６６を伝わって底部６３に流出する。
【００１７】
上記段部６５の下方には、図５に示すように、配管通し空間６１が形成され、この配管通し空間６１は、ドレンパン６０の前方から後方にかけて連通している。配管通し空間６１は、室外ユニット１１の設置時にフロントパネル３０（図２）で前部が閉鎖され、フロントパネル３０を室外ユニット１１から取り外すと、図３に示すように、室外ユニット１１の本体１１ａの図中右下隅部に配管通し空間６１全体が露出する。この配管通し空間６１には、室内ユニット１２に連結するための連結配管２４、２５が収納される。
【００１８】
ドレンパン６０の段部６５の内、図５中で、右側部分の段部６５ａは、その前端が、ドレンパン６０の前端まで延在せず、そこには切り欠き部６７が形成されている。この切り欠き部６７は、フロントパネル３０（図２）が取り付けられたときに、フロントパネル３０と共に開口部６２を構成する。
【００１９】
連結配管２４、２５を室外ユニット１１に連結させる際には、連結配管２４、２５は、室外ユニット１１の後方から導かれて配管通し空間６１の前方に向かって通される。そして、右段部６５ａの前方、即ち、室外熱交換器１９の前方で上方に略垂直に屈曲され、切り欠き部６７を通って、切り欠き部６７の上方に配置されたサービスバルブ２７、２８に接続される。このサービスバルブ２７、２８は、冷媒配管１４（図１）を介して、室外熱交換器１９に接続される。
このサービスバルブ２７、２８は、フロントパネル３０（図２）を取り外したときには、本体１１ａの前方に露出する位置にある。これにより、フロントパネル３０を取り外したときに、室外ユニット１１に引き込まれた連結配管２４、２５は、配管通し空間６１からサービスバルブ２７、２８にかけて露出する。
【００２０】
本実施形態では、ドレンパン６０が備える右段部６５ａの下側に、ドレンパン６０の後方から室外熱交換器１９の前方にかけて連通する配管通し空間６１が形成されている。そして、この配管通し空間６１に連結配管２４、２５を通すため、室外熱交換器１９をドレンパン６０の後端部の幅略全域に亘って配置することが可能であり、室外熱交換器１９の容量を維持しつつもコンパクトな室外ユニット１１を実現することができる。しかも、室外熱交換器１９を結果的に室外ユニット１１の背面と両側面とに位置させて外部に露出させているので、この背面と両側面とから室外熱交換器１９へ吸込まれる外気の吸込面積を広くすることができ、これによってもコンパクトな室外ユニット１１を実現することができる。
【００２１】
また、フロントパネル３０を取り外すだけで、連結配管２４、２５を通す配管通し空間６１から切り欠き部６７、サービスバルブ２７、２８にかけて露出する。これにより、フロントパネル３０を取り外して、連結配管２４、２５をサービスバルブ２７、２８に接続する作業を行う場合等に、連結配管２４、２５を穴に通すような作業が不要なため、配管接続作業を容易に行うことができる。更に、室外ユニット１１の床板（ドレンパン６０）に配置される圧縮機１６は、実施例では図３で示すように室外ユニット１１の内部の右側に寄っているが、この内部の中央部に配置すると、圧縮機１６という重量のある部品が中央となるため、室外ユニット１１全体のバランスが良くなり、運搬や据付等の作業が行い易くなる。
【００２２】
以上、一実施形態に基づいて本発明を説明したが、本発明は、これに限定されるものではない。本実施形態では、フロントパネル３０は、配管通し空間６１の前部のみを閉鎖しているが、これに限らず、例えば、配管通し空間全体を閉鎖し、配管通し空間内の連結配管が側面からも見えないようにしてもよい。
また、本実施形態では、サービスバルブ２７、２８は、切り欠き部６７の上方に配置されているが、これに限らず、例えば、配管通し空間内に配置されていてもよい。
さらに、本実施形態では、空気調和装置の室外ユニットとして本発明を説明しているが、これに限らず、冷凍機の室外ユニット等、熱交換器と、送風機とを床板の上方に備えていれば、その他の室外機であってもよい。
【図面の簡単な説明】
【００２３】
【図１】空気調和装置の一実施の形態を示す回路図である。
【図２】室外ユニットの斜視図である。
【図３】フロントパネルを取り外したときの室外ユニットの斜視図である。
【図４】室外熱交換器及びドレンパンの斜視図である。
【図５】ドレンパンの斜視図である。
【符号の説明】
【００２４】
１１  室外ユニット
１１ａ  本体
１６  圧縮機
１９  室外熱交換器（熱交換器）
２０  室外ファン（送風機）
２４、２５  連結配管（冷媒配管）
２７、２８  サービスバルブ
３０  フロントパネル（外装パネル）
６０  ドレンパン（床板）
６１  配管通し空間
６５  段部
６７  切り欠き部
【図１】
0004781080.tif 000002
【図２】
0004781080.tif 000003
【図３】
0004781080.tif 000004
【図４】
0004781080.tif 000005
【図５】
0004781080.tif 000006